(57)【要約】【課題】  一度敷設された引き落とし用のクロージャにおいて光ファイバケーブルの撤去または再敷設等の作業を行う必要がなく、容易に細径の光ファイバケーブル同士を接続することができ、さらに、光ファイバケーブルの本体部と支持線とを一体的に固定させることのできる光ファイバケーブル接続用クロージャを提供する。【解決手段】  本発明に係る光ファイバケーブル接続用クロージャ１０は、支持線７を有する１対の光ファイバケーブル１の被覆部（樹脂）３を固定する２つのケーブル固定部１２と、２つのケーブル固定部１２の間に、光ファイバ心線９の接続部３０を収容する接続部収容部１３とメッセンジャワイヤ部８を固定する支持線固定部１４とを有し、ケーブル固定部１２と接続部収容部１３と支持線固定部１４とが、一体に形成されている。【選択図】    図１
2005107014.tif 000002
【特許請求の範囲】
【請求項１】
支持線を有する少なくとも１対の光ファイバケーブルの被覆部を固定する２つのケーブル固定部と、前記２つのケーブル固定部の間に、光ファイバの接続部を収容する接続部収容部と前記支持線を固定する支持線固定部とを有し、
前記ケーブル固定部と前記接続部収容部と前記支持線固定部とが、一体に形成されていることを特徴とする光ファイバケーブル接続用クロージャ。
【請求項２】
請求項１に記載の光ファイバケーブル接続用クロージャであって、
前記２つのケーブル固定部は、当該クロージャの長手方向の両端部に形成されており、前記光ファイバケーブルの端部を前記長手方向の向きに収容する固定溝を有することを特徴とする光ファイバケーブル接続用クロージャ。
【請求項３】
請求項１または２に記載の光ファイバケーブル接続用クロージャであって、
前記接続部収容部と前記支持線固定部との間の空間を仕切る仕切り部材が設けられていることを特徴とする光ファイバケーブル用クロージャ。
【請求項４】
請求項１〜３の何れか１項に記載の光ファイバケーブル接続用クロージャであって、
前記支持線固定部は、折り返した前記支持線の両外側を挟む内側壁を備えていることを特徴とする光ファイバケーブル接続用クロージャ。
【請求項５】
請求項１〜４の何れか１項に記載の光ファイバケーブル接続用クロージャであって、
前記支持線固定部は、折り返した前記支持線の湾曲部内側を係止する係止部を備えていることを特徴とする光ファイバケーブル接続用クロージャ。
【請求項６】
請求項１〜５の何れか１項に記載の光ファイバケーブル接続用クロージャであって、
前記支持線固定部は、折り返した前記支持線の湾曲部外側に当接する当接部を備えていることを特徴とする光ファイバケーブル接続用クロージャ。
【請求項７】
請求項１〜６の何れか１項に記載の光ファイバケーブル接続用クロージャであって、
前記支持線固定部は、前記支持線をその長手方向と直交する方向に締め付ける構成となっていることを特徴とする光ファイバケーブル接続用クロージャ。
【発明の詳細な説明】
【技術分野】
【０００１】
本発明は、光ファイバケーブル同士を接続する際に用いられる光ファイバケーブル接続用クロージャに関する。
【背景技術】
【０００２】
光ファイバを収容局から加入者側のビルや住宅等に配線するＦＴＴＨ（Fiber To The Home）等では、例えば電柱の架空に敷設された多心光ファイバケーブルから、引き落とし用のクロージャを用いて、１心または２心以上の光ドロップケーブルに接続して光ファイバを分配させている。光ファイバ用のクロージャは、既に様々な形式のものが提案されており、多心光ファイバケーブルから、所望の心数の光ファイバを分岐、引き落とし、あるいは通過させるのに使用されている（例えば、特許文献１）。
【０００３】
従来の引き落とし用のクロージャの一例を、図９に示す。この光ケーブルクロージャ１００は、多心光ファイバケーブル１０２の接続部を包囲できる展開自在のスリーブ１０１と、多心光ファイバケーブル１０２及びこの多心光ファイバケーブル１０２が吊されている支持線１０３が出入する端面スペーサ１０４，１０５とを備えている。また、スリーブ１０１は、端面スペーサ１０４，１０５に対してワンタッチで取付けることができる係止用凹凸部１０６，１０７と、端面スペーサ１０４，１０５への嵌合ストッパ１０８とを有している。端面スペーサ１０４は、多心光ファイバケーブル１０２及び支持線１０３の挿通孔１０９，１１０を有し、端面スペーサ１０５は、多心光ファイバケーブル１０２の挿通孔１１１と、支持線１０３の挿通孔１１２と、引き落とし用の複数の光ドロップケーブル１１３の挿通孔１１４を有している。
【０００４】
【特許文献１】特開平９−２７４１２２号公報（図１）
【発明の開示】
【発明が解決しようとする課題】
【０００５】
ところで、引き落とし用のクロージャから引き落とされた光ドロップケーブルは、加入者側の建物内に引き込まれるが、種々の状況に応じて敷設し直す必要が生じる。
例えば、加入者の解約時には、その建物際で光ドロップケーブルを切断した後、クロージャからその光ドロップケーブルを撤去する。そして、新規に加入者が発生した場合には、新たにクロージャから光ドロップケーブルを敷設する。
また、クロージャから敷設した光ドロップケーブルが、誤って短いものであった場合には、加入者側まで届かないために、一旦クロージャからその光ドロップケーブルを撤去して、再度新たな光ドロップケーブルを敷設し直す。
さらに、既に加入者側に光ドロップケーブルが敷設されている状態で、電柱の移動等によって引き落とし用のクロージャがその加入者の建物から離れてしまい、光ドロップケーブルの長さが足りなくなった場合にも、新たにクロージャから光ドロップケーブルを敷設する。
さらには、敷設後に生じたドロップケーブルの端末は、短いため廃却する。
【０００６】
このように、一度配線の済んだ引き落とし用のクロージャにおいて、再び光ドロップケーブルの敷設及び撤去が行われることがあり、場合によってはそれが繰り返されてしまうという状況にあった。架空に敷設された引き落とし用のクロージャで光ドロップケーブルの敷設や撤去等の作業を行うことは、その作業が煩雑であるばかりでなく、そのクロージャから配線されている他の回線に障害を与えてしまうことも起こり得るため、好ましくない。また、クロージャから引き落とされた光ドロップケーブルを撤去したり再敷設したりすることは、光ドロップケーブルの無駄を生じさせてしまうことになる。
【０００７】
また、光ドロップケーブルは、光ファイバを内蔵した本体部と、架空で支持するための強度を確保するために設けられた鋼線等の支持線とが一体化されている。仮に、光ドロップケーブルの本体部のみを接続した場合であっても、別途支持線を接続する構成であると、接続した光ドロップケーブルの敷設作業が煩雑となってしまうことが考えられる。例えば、光ドロップケーブルは、スパイラルハンガの内側を通過させて敷設する要求があるが、本体部と支持線とを接続させた光ドロップケーブルの寸法が大きくなってしまうと、その敷設作業を行うことができなくなってしまう。
【０００８】
本発明の目的は、一度敷設された引き落とし用のクロージャにおいて光ファイバケーブルの撤去または再敷設等の作業を行う必要がなく、容易に細径の光ファイバケーブル同士を接続することができ、さらに、光ファイバケーブルの本体部と支持線とを一体的に固定させることのできる光ファイバケーブル接続用クロージャを提供することにある。
【課題を解決するための手段】
【０００９】
上記目的を達成することのできる本発明に係る光ファイバケーブル接続用クロージャは、支持線を有する少なくとも１対の光ファイバケーブルの被覆部を固定する２つのケーブル固定部と、２つのケーブル固定部の間に、光ファイバの接続部を収容する接続部収容部と支持線を固定する支持線固定部とを有し、ケーブル固定部と接続部収容部と支持線固定部とが、一体に形成されていることを特徴としている。
【００１０】
このような構成の光ファイバケーブル接続用クロージャは、２つのケーブル固定部に、それぞれ光ファイバケーブルの端部を固定して、さらに接続部収容部に、光ファイバケーブルから導出された光ファイバを相互に接続した接続部を収容することができる。そして、それぞれ端部が固定された光ファイバケーブルの間で、支持線固定部に互いの支持線を一体的に固定することができる。すなわち、光ドロップケーブル等の光ファイバケーブル同士を、その支持線も含めて容易に接続することができる。したがって、例えば引き落とし用のクロージャから引き落とされた光ドロップケーブルを切断した場合や長さが足りない場合に、さらに別の光ドロップケーブルを接続して延長し、再び加入者側に光ドロップケーブルを敷設することができる。
このように、本発明に係る光ファイバケーブル接続用クロージャを用いることにより、一度敷設された引き落とし用のクロージャで光ファイバケーブルの撤去または再敷設等の作業を行うことを不要とすることができる。
【００１１】
また、ケーブル固定部と接続部収容部と支持線固定部とが一体的に形成されているため、その全体構造を小さくすることができ、支持線も含めた光ファイバケーブルの接続部をコンパクトにまとめることができる。さらに、支持線をクロージャに一体的に固定することによって、光ファイバケーブルに付加される張力を支持線及びクロージャそのものによって受けて、光ファイバに張力を作用させないように保護することができる。したがって、光ファイバケーブルの接続状態を安定して保つことができる。
なお、光ファイバの接続部とは、例えば融着接続部や、メカニカルスプライスによる接続部等が挙げられる。
【００１２】
また、本発明に係る光ファイバケーブル接続用クロージャにおいて、２つのケーブル固定部は、当該クロージャの長手方向の両端部に形成されており、光ファイバケーブルの端部を長手方向の向きに収容する固定溝を有することが好ましい。
このような構成の光ファイバケーブル接続用クロージャは、クロージャの両端部に光ファイバケーブルの端部をそれぞれ嵌め込んで固定することができる。また、光ファイバケーブルを固定する位置を固定溝の長手方向にずらして適宜調節することで、光ファイバケーブルの端部から導出された光ファイバの余長を調節することができる。
【００１３】
また、本発明に係る光ファイバケーブル接続用クロージャにおいて、接続部収容部と支持線固定部との間の空間を仕切る仕切り部材が設けられていることが好ましい。
このような構成の光ファイバケーブル接続用クロージャは、光ファイバケーブルから導出された光ファイバと支持線とが接触することを防止し、光ファイバに対して不慮の外力が作用することを防ぐことができる。
【００１４】
また、本発明に係る光ファイバケーブル接続用クロージャにおいて、支持線固定部は、折り返した支持線の両外側を挟む内側壁を備えていることが好ましい。
このような構成の光ファイバケーブル接続用クロージャは、折り返された支持線を広がらないように押さえることで、支持線に対してクロージャから抜き出される引っ張り方向への抵抗力を発生させ、支持線を固定することができる。
【００１５】
また、本発明に係る光ファイバケーブル接続用クロージャにおいて、支持線固定部は、折り返した支持線の湾曲部内側を係止する係止部を備えていることが好ましい。
このような構成の光ファイバケーブル接続用クロージャは、支持線をその折り曲げ部分で係止して、クロージャからの抜け出しを防止することができる。
【００１６】
また、本発明に係る光ファイバケーブル接続用クロージャにおいて、支持線固定部は、折り返した支持線の湾曲部外側に当接する当接部を備えていることが好ましい。
このような構成の光ファイバケーブル接続用クロージャは、支持線の折り曲げ部分がクロージャ内部に押し込まれることを防止することができる。
【００１７】
また、本発明に係る光ファイバケーブル接続用クロージャにおいて、支持線固定部は、支持線をその長手方向と直交する方向に締め付ける構成となっていることが好ましい。
このような構成の光ファイバケーブル接続用クロージャは、支持線の引っ張りや押し込みによる長手方向の移動を防止することができる。
【発明の効果】
【００１８】
本発明の光ファイバケーブル接続用クロージャによれば、一度敷設された引き落とし用のクロージャにおいて光ファイバケーブルの撤去または再敷設等の作業を行う必要がなく、容易に細径の光ファイバケーブル同士を接続することができ、さらに、光ファイバケーブルの本体部と支持線とを一体的に固定させることができる。
【発明を実施するための最良の形態】
【００１９】
以下、本発明に係る光ファイバケーブル接続用クロージャの実施の形態の例を図面を参照しつつ説明する。
図１に、本実施形態の光ファイバケーブル接続用クロージャ（以下、クロージャと呼ぶ）１０の斜視図を示す。図１に示すように、クロージャ１０は、フレーム１１とカバー１６の二つの長尺状の部材を組み合わせて構成されている。これらフレーム１１及びカバー１６は、プラスチック、アルミ、亜鉛等の材質で形成されていることが望ましい。但し、プラスチックを用いることでクロージャ１０の軽量化を図り、取り扱い性を向上させるとともに、敷設後の光ファイバケーブルへの負担を低減させることができる。
また、フレーム１１の長手方向の断面図を図２に示す。カバー１６の長手方向の断面図を図３に示す。
【００２０】
フレーム１１は、一側面（図１及び図２中の上面）が開口した中空形状となっており、長手方向の両端に設けられたケーブル固定部１２の間に、接続部収容部１３が形成され、さらに、ケーブル固定部１２と接続部収容部１３の間には、光ファイバケーブルの支持線を固定する支持線固定部１４が形成されている。また、フレーム１１は、長手方向と直交する断面の外形が、円形の一部が欠けたほぼ半円の形状をなしている。
【００２１】
フレーム１１の開口側は、カバー１６と接合することで閉じられる。カバー１６には、その長手方向の２箇所に、ねじ１７を挿入させてねじ１７の頭部分を係止させるねじ係止穴１８（図３参照）が形成されている。また、フレーム１１の、カバー１６のねじ係止穴１８と対応する箇所には、ねじ１７を挿入してねじ止めするためのねじ穴１５が形成されている。すなわち、フレーム１１とカバー１６とは、互いに接合した状態で、ねじ１７によって相互に固定することができる。
なお、フレーム１１とカバー１６とを接合したクロージャ１０は、その断面の外形形状がほぼ円形である。また、フレーム１１及びカバー１６を接合させた断面の直径は、例えば１５ｍｍ程度と小さくすることができる。また、長さは、例えば１５０ｍｍ程度とすることができる。
【００２２】
また、カバー１６の接合面（図１及び図３中の下面）には、フレーム１１の接続部収容部１３と対応する箇所に、直方体形状の接続部固定部材２１が設けられている。この接続部固定部材２１は、フレーム１１の接続部収容部１３の上側部分に入り込んで、接続部収容部１３に収容された光ファイバの接続部を押さえて、その移動を防止するものである。また、接続部固定部材２１は、押さえた接続部に対して過度の外力が作用することを防ぐために、発泡ゴム等の弾性体で形成されていると良い。
【００２３】
ケーブル固定部１２には、光ファイバケーブルの被覆部を固定する固定溝１９が設けられている。この固定溝１９は、断面がコ字状であってフレーム１１の長手方向に沿って形成されており、この長手方向の向きで光ファイバケーブルを固定することができるように構成されている。また、固定溝１９の内側には、固定溝１９内に収容した光ファイバケーブルの被覆部を係止して抜け止めするための係止突起２０が複数配設されている。
【００２４】
接続部収容部１３は、光ファイバの接続部を収容しつつ、その移動を規制する大きさの収容空間２３が形成された部分である。この収容空間２３は、ケーブル固定部１２の固定溝１９と同じ長手方向に沿って形成されており、接続部と光ファイバケーブルとをその軸線方向にほぼ一直線上に並ぶように配置することができる。接続部収容部１３は、クロージャ１０の中央部分であってなおかつ２つのケーブル固定部１２の間に設けられているため、光ファイバ同士を接続した接続部を、その光ファイバの余長を処理しつつ、コンパクトに収容することができる。
また、本実施形態の接続部収容部１３では、光ファイバの接続部を２つ収容できるように、収容空間２３が２つ並列して形成されている。
【００２５】
支持線固定部１４は、フレーム１１の内部であって、ケーブル固定部１２と接続部収容部１３の間の位置に立設されている。支持線固定部１４が立設された周囲には、ケーブル固定部１２に固定された光ファイバケーブルから導出された光ファイバの余長を収容して処理できる余長処理空間２４が形成されている。
支持線固定部１４は、フレーム１１の上面より低い位置に形成された凹部２６と、凹部２６の底部に形成されたねじ穴２５と、凹部２６におけるフレーム１１の中央側に位置する端面である、当接部２７とを備えている。
【００２６】
凹部２６は、フレーム１１の上面側に開口しているとともに、フレーム１１の長手方向と直交する横方向に開口しており、この内側には、折り返した支持線を、フレーム１１の上面と平行なＵ字状に通すことができる。ねじ穴２５には、上方向から飛び出し防止用ねじ２８（図７及び図８参照）を挿入してねじ止めすることができる。この飛び出し防止用ねじ２８により、折り返した支持線を係止することができる。当接部２７は、凹部２６内にＵ字状に通された支持線の湾曲した部分の外側に当接することで、支持線がクロージャ１０の中央に向かって移動することを規制できる。このように、支持線固定部１４は、光ファイバケーブルの支持線を折り曲げて、その折り曲げた部分を固定することに適している。
【００２７】
以上に述べた構成のフレーム１１によれば、光ファイバケーブルから導出された光ファイバ及び接続部は、フレーム１１の内部の下方に位置する余長処理空間２４と接続部収容部１３に収容しつつ、支持線は、フレーム１１の内部の上方に位置する支持線固定部１４に確実に固定することができる。
【００２８】
次に、本実施形態のクロージャ１０を用いて接続される光ファイバケーブルの例を図４に示す。
図４に示す光ファイバケーブル１は、光ドロップケーブルであり、エレメント部５とメッセンジャワイヤ部８とが首部６により接続された構成である。
エレメント部５は、並列して配置された２本の光ファイバ心線９と、２本の抗張力体２とが、樹脂３により被覆されている。
光ファイバ心線９は、特に種類や形状が限定されるものではないが、好適に用いられる例として、コアとクラッドを有するガラス体の光ファイバの外周に紫外線硬化樹脂が被覆されてなるものが挙げられる。
なお、光ファイバケーブル１は、この光ファイバ心線９が２本設けられているが、これが１本のみであっても良く、または２本以上の光ファイバがテープ状に一体化された光ファイバ心線となっていても良い。
【００２９】
抗張力体２は、２本の光ファイバ心線９と並列するように配置されており、鋼やガラス繊維強化プラスチック（Ｇ−ＦＲＰ）等を用いることができる。光ファイバ心線９と抗張力体２が一括に被覆されていることにより、光ファイバケーブル１に付加される張力等の外力を抗張力体２が受けて、光ファイバ心線９を外力から保護している。
【００３０】
また、エレメント部５の外周には、光ファイバ心線９に向かって形成されたノッチ４が２つ設けられている。このノッチ４は、光ファイバ心線９の取り出しを容易にするものであり、取り出しの際には、２つのノッチ４の間の樹脂３に切り込みを入れるようにして引き裂けば良い。
【００３１】
メッセンジャワイヤ部８は、光ファイバケーブル９を架空で支持するための強度を有するように構成されており、支持線７が樹脂３により被覆されている。支持線７は、鋼線やＦＲＰ線等を用いることができ、好適には、亜鉛鍍鋼線が用いられる。
また、首部６は、エレメント部５及びメッセンジャワイヤ部８の樹脂３と同じ樹脂により、エレメント部５及びメッセンジャワイヤ部８と一体的に形成されている。この首部６は、エレメント部５とメッセンジャワイヤ部８とを分割する際には、手指等で簡単に引き裂くことができる。なお、樹脂３の材質は、難燃ポリエチレン（ＦＲＰＥ）が好適に用いられる。
【００３２】
次に、１対の光ファイバケーブル１を、上述したクロージャ１０を用いて接続する工程について説明する。なお、図６は、フレームに光ファイバの接続部を収容した状態を示す上面図であり、図７は、フレームに支持線を固定した状態を示す上面図であり、図８は、接続が完了した状態を示すクロージャの部分側面図及び部分断面図である。
【００３３】
接続の際には、まず、双方の光ファイバケーブル１の端部から首部６を引き裂いてエレメント部５及びメッセンジャワイヤ部８を任意の長さだけ分離させる。そして、エレメント部５の樹脂３をノッチ４から引き裂いて、光ファイバ心線９を任意の長さだけ露出させる。さらに、各光ファイバ心線９の先端部分の被覆を除去し、ガラス体の光ファイバとした後、接続する光ファイバ同士を接続し、接続部を形成する。ここで、光ファイバの接続部とは、例えば融着接続部や、メカニカルスプライスによる接続部等が挙げられる。融着した場合の接続部は、例えば光ファイバを熱収縮スリーブで覆った部分であり、メカニカルスプライスの場合の接続部は、メカニカルスプライス素子である。
【００３４】
光ファイバを接続した後は、図５に示すように、メッセンジャワイヤ部８を除去したエレメント部５のみの光ファイバケーブル１ａを、ケーブル固定部１２の固定溝１９に嵌め込んで固定する。固定溝１９内に光ファイバケーブル１ａを嵌め込むと、係止突起２０によって光ファイバケーブル１ａの被覆部（樹脂３）が係止され、光ファイバケーブル１ａが固定溝１９内に固定される。このとき、図６に示すように、接続された光ファイバ心線９を僅かに弛むように光ファイバケーブル１ａの位置を長手方向に調節して、接続部３０を接続部収容部１３の収容空間２３内に収める。また、その際、光ファイバ心線９を余長処理空間２４内に収める。
なお、図６は、光ファイバケーブル１のメッセンジャワイヤ部８の図示を省略している。また、この実施形態では接続部３０が１つのみの場合を示しているが、接続部３０を２つ形成した場合には、２つの収容空間にそれぞれ収容することもできる。
【００３５】
また、光ファイバケーブル１ａをケーブル固定部１２に固定し、接続部３０を接続部収容部１３内に収容した後、図７に示すように、支持線７を含むメッセンジャワイヤ部８を支持線固定部１４に固定する。なお、この図７では、光ファイバ心線９及び接続部３０の図示を省略している。メッセンジャワイヤ部８を固定する方法としては、まず、メッセンジャワイヤ部８を折り返して、その湾曲した部分を凹部２６に収める。その際、図７に示すように、フレーム１１の内側壁３１に向かって、折り返したメッセンジャワイヤ部８が当接する。すなわち、フレーム１１は、折り返されたメッセンジャワイヤ部８の両外側を、内側壁３１で挟む構成となっている。折り返されたメッセンジャワイヤ部８は、外側へ広がろうとする力を持つが、それに対して内側壁３１が抵抗して、内側壁３１とメッセンジャワイヤ部８との間に摩擦力が発生する。この摩擦力は、メッセンジャワイヤ部８の、フレーム１１に対する長手方向への移動に対する抵抗力となり、メッセンジャワイヤ部８が抜き出されることを防ぐことができる。
【００３６】
また、この状態で、メッセンジャワイヤ部８の湾曲した部分の外側は、支持線固定部１４の当接部２７に当接する。これにより、メッセンジャワイヤ部８をフレーム１１に向けて押し込んでも、メッセンジャワイヤ部８がフレーム１１の中央方向に向かって移動することが防がれる。
【００３７】
メッセンジャワイヤ部８を折り返して凹部２６内に収めた後には、支持線固定部１４のねじ穴２５に飛び出し防止用ねじ２８をねじ込んで固定し、湾曲したメッセンジャワイヤ部８の内側を係止する。これにより、メッセンジャワイヤ部８がフレーム１１から抜き出されることを防止できる。また、飛び出し防止用ねじ２８の頭部が、フレーム１１における上面方向への、メッセンジャワイヤ部８の飛び出しを防止できる。したがって、フレーム１１とカバー１６とを接合する際にメッセンジャワイヤ部８が干渉することがない。
【００３８】
また、飛び出し防止用ねじ２８のねじ込みの程度を調節して、メッセンジャワイヤ部８を、その長手方向と直交する方向（図８の上下方向）に締め付けることができる。これにより、メッセンジャワイヤ部８が、押し込みや抜き出し等の長手方向に移動することを防ぐことができる。また、メッセンジャワイヤ部８をフレーム１１に対してさらに強固に固定することができる。
【００３９】
また、図８に示すように、支持線固定部１４にメッセンジャワイヤ部８を固定する前に、接続部収容部１３と支持線固定部１４との間の空間を仕切る仕切り部材２９を設けておくと良い。すなわち、仕切り部材２９は、光ファイバケーブルから導出された光ファイバ心線９や接続部３０に対して、メッセンジャワイヤ部８が接触することを防ぐものである。なお、仕切り部材２９としては、硬質プラスチックのシートを用いると良い。仕切り部材２９を用いることで、光ファイバ心線９や接続部３０に対して不慮の外力が作用することを防ぐことができる。
【００４０】
以上の工程の後、図８に示すように、フレーム１１とカバー１６とを接合させて、ねじ１７により相互に固定する。その際、接続部固定部材２１が接続部収容部１３に収容された光ファイバの接続部を押さえて、その移動が防止される。
これにより、クロージャ１０による光ファイバケーブル１の接続作業が終了する。
このように、本実施形態のクロージャ１０を用いて光ファイバケーブル１を接続することで、固定した１対の光ファイバケーブル１の間で、光ファイバ心線９の接続部３０を内部に収容しつつ、支持線７を一体的に固定することができる。
また、本実施形態のクロージャは、全体構造が小さく、支持線も含めた光ファイバケーブルの接続部をコンパクトにまとめることができる。そのため、スパイラルハンガにも容易に通すことができ、光ファイバケーブルの敷設作業性を向上させることができる。
【図面の簡単な説明】
【００４１】
【図１】本発明に係る光ファイバケーブル接続用クロージャの一実施形態を示す斜視図である。
【図２】図１に示したフレームの長手方向の断面図である。
【図３】図１に示したカバーの長手方向の断面図である。
【図４】図１に示したクロージャに固定される光ファイバケーブルを示す断面図である。
【図５】図１に示したクロージャに光ファイバケーブルを固定する際の断面図である。
【図６】図１に示したフレームに光ファイバの接続部を収容した状態を示す上面図である。
【図７】図１に示したフレームに支持線を固定した状態を示す上面図である。
【図８】光ファイケーブルの接続が完了した状態を示すクロージャの部分側面図及び部分断面図である。
【図９】従来の引き落とし用のクロージャの一例を示す斜視図である。
【符号の説明】
【００４２】
１    光ファイバケーブル（光ドロップケーブル）
５    エレメント部
６    首部
７    支持線
８    メッセンジャワイヤ部
９    光ファイバ心線
１０  光ファイバケーブル接続用クロージャ
１１  フレーム
１２  ケーブル固定部
１３  接続部収容部
１４  支持線固定部
１６  カバー
１９  固定溝
２３  収容空間
２４  余長処理空間
２６  凹部
３０  接続部
【図１】
2005107014.tif 000003
【図２】
2005107014.tif 000004
【図３】
2005107014.tif 000005
【図４】
2005107014.tif 000006
【図５】
2005107014.tif 000007
【図６】
2005107014.tif 000008
【図７】
2005107014.tif 000009
【図８】
2005107014.tif 000010
【図９】
2005107014.tif 000011